(57)【要約】【課題】水の蒸発に伴う気化熱を利用して周囲の空気を効率よく冷却できるとともに、設置場所が限定されず、かつ、設置作業や撤去作業が容易であって、しかも安価に製造することが可能な空調装置を提供する。【解決手段】本考案の空調装置は、コンクリート製のブロック７，７が下端にそれぞれ取り付けられた支柱１，１と、この支柱１，１の上下にそれぞれ略水平に架け渡される支持部材２，２と、支持部材２，２の間に張設される網状部材３と、略水平をなすように網状部材２の上端近傍に設置され，先端部に栓体９が取り付けられた多孔質パイプ４と、多孔質パイプ４に接続される給水管５を備えている。【選択図】図１
0003197909.tif 000002
【実用新案登録請求の範囲】
【請求項１】
横糸と縦糸によって形成される格子状の網目を有する網状部材と、
この網状部材の上下を保持して平板状に支持する支持手段と、
前記網状部材に対して幅方向に所定の長さにわたって上方から水を供給可能に設置され，基端部に給水管が接続されるとともに先端部が閉塞された多孔質パイプと、を備え、
前記網状部材の前記網目は８〜１６ｍｍ２の大きさに形成されることを特徴とする空調装置。
【請求項２】
前記網状部材の前記網目を形成する前記横糸は、撚り糸からなることを特徴とする請求項１記載の空調装置。
【請求項３】
前記多孔質パイプは、発泡樹脂によって形成される中空の連続気泡体からなることを特徴とする請求項１又は請求項２に記載の空調装置。
【請求項４】
前記多孔質パイプの前記先端部は、着脱自在に設置される栓体によって閉塞されることを特徴とする請求項３記載の空調装置。
【考案の詳細な説明】
【技術分野】
【０００１】
本考案は、植物を栽培する園芸用ハウス等において冷房や加湿を行う際に用いられる空調装置に係り、特に、水の蒸発に伴う気化熱を利用することにより容易かつ安価に建物内の温度や湿度を調節することが可能な空調装置に関する。
【背景技術】
【０００２】
一般に、建物内の空調にはエアコンディショナー等が用いられることが多い。しかし、例えば、園芸用ハウスなどのように広い範囲に対して長時間空調を行う必要がある場合には、エアコンディショナーでは電気代が嵩むため、経済的ではない。そこで、このような課題を解決するものとして、従来、建物の壁面等に水を流し、その気化熱を利用して空調を行う方法が知られている。
【０００３】
例えば、特許文献１には、「畜舎及び栽培室用建物の空調システム」という名称で、豚舎や椎茸の栽培室等の農業用の建物において、室内の冷房や加湿を行う際に用いられる空調システムに関する発明が開示されている。
特許文献１に開示された発明は、排気手段を備えた建物の一端側に排気手段と対向するように複数の空気透過パッドを設置し、この空気透過パッドに対して噴水手段により微細な水滴や霧を吹き付けるものである。そして、空気透過パッドが、耐水性と自己支持性を有する波板が多隙体をなすように凸条部で互いに重ね合わされるようにして形成されたことを特徴としている。
このような構造の空調システムにおいては、空気透過パッドに付着した水が蒸発する際に周囲の空気から気化熱を奪うことにより、室内の温度が低下するという作用を有する。また、空気透過パッドを通過した微細な水滴や霧によって室内が加湿されるという作用を有する。従って、エアコンディショナー等の空調機器に比べて電気代等の費用を安く抑えることができる。
【０００４】
また、特許文献２には、「冷却ユニット及びこれを用いた壁面又は屋根面の冷却構造」という名称で、建物の壁面や屋根面を冷却することにより、省電力化を図るとともに都市部におけるヒートアイランド現象を抑制するための冷却ユニット等に関する発明が開示されている。
特許文献２に開示された発明である冷却ユニットは、略平板状のユニット本体の外面に近接して細メッシュのネット状部材が張設された構造となっている。そして、ネット状部材として開口寸法が０．５〜１．０ｍｍ四方のものを用いることを特徴としている。
このような構造の冷却ユニットにおいては、上部から供給された水がネット状部材を伝わって流下する間に蒸発し、周囲の空気から気化熱を奪うという作用を有する。また、ネット状部材のメッシュ開口及びネット状部材とユニット本体の外面との間に、水が表面張力によって保持されて一様な水膜が形成されるという作用を有する。これにより、風等による水滴の飛散が防止される。また、節水効果が高まることに加え、ネット状部材を流下する水の蒸発効率が向上する。
【０００５】
さらに、特許文献３には、「グリーンウォーターカーテン」という名称で、開閉窓を有する建物の屋外に設置され、ツル性植物を絡み付かせるとともに、流下させた水の気化熱を利用して、開閉窓から建物内に流入する空気を冷却することができる装置に関する発明が開示されている。
特許文献３に開示された発明は、給水パイプに連結された水液滲出パイプを建物の開閉窓の上方に横架し、この水液滲出パイプに網体の上縁部を保持させ、さらに網体の下縁部を地面側に固定させた構造となっている。そして、網体は、ツル性植物を絡み付かせるために、上側から下側に向かって徐々に網目のサイズが大きくなるように形成されている。
このような構造によれば、ツル性植物が成長して開閉窓を覆うことで日差しが遮られるという作用を有する。また、網体を流下する水液が蒸発する際に周囲の空気から気化熱を奪うという作用を有する。これにより、網体を通過した空気が冷却された状態で開閉窓から建物内に流入するという効果が発揮される。
【先行技術文献】
【特許文献】
【０００６】
【特許文献１】特開２００１−２１５０２７号公報
【特許文献２】特開２００８−１６３６５３号公報
【特許文献３】特開２００９−１７８００号公報
【考案の概要】
【考案が解決しようとする課題】
【０００７】
しかしながら、上述の従来技術である特許文献１に開示された発明においては、空気透過パッドの構造が複雑であるため、安価に製造できないという課題があった。また、空気透過パッドの数が多いと、それに対応するように多くの噴霧手段を設置しなければならないため、製造コストが高くなるという課題があった。さらに、設置作業や撤去作業が容易でないという課題もあった。加えて、視認性が悪いため、室内の中央等には設置できず、例えば、壁の近くなどの場所に設置せざるを得ないという課題もあった。
【０００８】
また、特許文献２に開示された発明においては、冷却ユニットの前面の空気は冷却されるものの、当該空気はユニット本体で遮られて、その背面に回り込むことができないため、冷却ユニットの背面では冷却効果が発揮されない。すなわち、この発明は、狭い範囲しか冷却できないため、園芸用ハウスなどの農業用施設には適用できないという課題があった。
【０００９】
さらに、特許文献３に開示された発明では、ツル性植物が絡み付く程度に網体の網目のサイズを大きくしなければならないため、水液滲出パイプによって網体の上方から供給された水液が途中で滴下してしまう可能性が高い。すなわち、本発明においては、水液の蒸発に必要な時間が十分に確保されないため、冷却効率が低いという課題があった。
また、建物の開閉窓を覆うようにツル性植物を成長させるには、水液滲出パイプを建物の開閉窓の上方に横架するとともに、網体の下縁部をツル性植物が植えられた地面等に固定しなければならない。従って、本発明においては、設置場所が限定されるため、汎用性に乏しいという課題があった。
【００１０】
本考案は、このような従来の事情に対処してなされたものであり、水の蒸発に伴う気化熱を利用して周囲の空気を効率よく冷却できるとともに、設置場所が限定されず、かつ、設置作業や撤去作業が容易であって、しかも安価に製造することが可能な空調装置を提供することを目的とする。
【課題を解決するための手段】
【００１１】
上記目的を達成するため、請求項１記載の考案である空調装置は、横糸と縦糸によって形成される格子状の網目を有する網状部材と、この網状部材の上下を保持して平板状に支持する支持手段と、網状部材に対して幅方向に所定の長さにわたって上方から水を供給可能に設置され，基端部に給水管が接続されるとともに先端部が閉塞された多孔質パイプと、を備え、網状部材の網目は８〜１６ｍｍ２の大きさに形成されることを特徴とするものである。
【００１２】
このような構造の空調装置においては、多孔質パイプから滲出して網状部材に上方から供給された水が網状部材の表面を流下する際に蒸発し、周囲の空気から気化熱を奪うという作用を有する。また、網状部材の表面を流下する水は網目の内部に水膜を形成することで空気との接触面積が広くなることに加え、網目の内部に水膜の状態で一時的に貯留されることで空気との接触時間が長くなるという作用を有する。これにより、網状部材を流下する水は蒸発し易い状態となる。
さらに、この水膜は消滅し易いことから、網状部材に供給される水を適量に調節した場合、その水は網状部材の表面を横方向へはほとんど移動することなく、専ら縦方向へ移動し、水膜の形成と消滅を順次繰り返しながら下方へと向かい、規則的に複数の流れを形成する。
加えて、上記構造の空調装置においては、各部材がいずれも軽量であり、構造も簡単であることから、設置作業や撤去作業あるいは運搬が容易である。
【００１３】
また、請求項２記載の考案は、請求項１に記載の空調装置において、網状部材の網目を形成する横糸は、撚り糸からなることを特徴とするものである。
このような構造の空調装置においては、請求項１記載の考案の作用に加えて、撚り糸からなる横糸が網状部材の表面を流下する水に対する抵抗として働き、水の流下速度を遅くするという作用を有する。これにより、網状部材の表面に水が存在する時間が長くなる結果、水の蒸発が促進される。
【００１４】
請求項３記載の考案は、請求項１又は請求項２に記載の空調装置において、多孔質パイプは、発泡樹脂によって形成される中空の連続気泡体からなることを特徴とするものである。
このような構造の空調装置においては、請求項１又は請求項２に記載の考案の作用に加えて、多孔質パイプの内部に送り込まれた水の圧力が内周面に均等に加わるため、側面に形成された無数の微細孔から全長にわたって略均一に水が滲出するという作用を有する。
【００１５】
請求項４記載の考案は、請求項３記載の空調装置において、多孔質パイプの先端部は、着脱自在に設置される栓体によって閉塞されることを特徴とするものである。
このような構造の空調装置においては、請求項３記載の考案の作用に加えて、多孔質パイプの側面に形成された微細孔が目詰まりした場合、栓体を外した状態で多孔質パイプの内部に水を流しながら、その側面を軽く叩くなどして振動を加えることで、目詰まりの原因となったゴミ等が微細孔から容易に排除されて水に押し流されるようにして多孔質パイプの先端部から排出されるという作用を有する。
【考案の効果】
【００１６】
以上説明したように、本考案の請求項１に記載の空調装置によれば、網状部材の表面を流下する水によって気化熱を奪い、周囲の空気を効率良く冷却することができる。また、網状部材に供給する水量を調節することで、一部の網目に水膜が形成されないようにすることができる。この場合、網状部材の一方の側から送られた風は、網目を通過する際に冷却及び加湿されて、網状部材の背面側に移動し、周囲の空気を冷却するとともに加湿する。従って、網状部材の近傍に限らず、広範囲にわたって空調を行うことができる。
さらに、各部材が軽量であって構造が簡単であることから、設置箇所が限定されない。加えて、設置や撤去に要する費用や製造コストを安くすることができる。
【００１７】
本考案の請求項２に記載の空調装置によれば、請求項１記載の考案の効果が発揮されることに加えて、水の気化熱を利用して周囲の空気をさらに効率良く冷却することができる。
【００１８】
本考案の請求項３に記載の空調装置によれば、請求項１又は請求項２に記載の考案の効果が発揮されることに加えて、網状部材の上方から、その幅方向の全長にわたって水を略均一に供給しつつ、その水量を、多孔質パイプの内部に加わる水圧を変更することで容易に調節できるという効果を奏する。
【００１９】
本考案の請求項４に記載の空調装置によれば、請求項３記載の考案の効果が発揮されることに加えて、多孔質パイプが目詰まりした場合でも容易に解消できるという効果を奏する。
【図面の簡単な説明】
【００２０】
【図１】本考案の実施の形態に係る空調装置の実施例の外観斜視図である。
【図２】（ａ）は図１に示した空調装置を構成する網状部材の一部を拡大した図であり、（ｂ）は図１の部分拡大図である。
【図３】（ａ）は図１に示した空調装置を構成する網状部材と多孔質パイプを模式的に示した平面図であり、（ｂ）は網状部材の一部を拡大した図である。
【図４】（ａ）は図２（ｂ）において網状部材の表面を流下する水の状態を模式的に示した図であり、（ｂ）及び（ｃ）は網状部材の縦断面において水が流下する様子を模式的に示した図である。
【図５】（ａ）は図２（ｂ）において網状部材の表面を流下する水の状態を模式的に示した図であり、（ｂ）は網状部材の縦断面において水が流下する様子を模式的に示した図である。
【図６】（ａ）は図２（ｂ）において網状部材の表面を流下する水の状態を模式的に示した図であり、（ｂ）は網状部材の縦断面において水が流下する様子を模式的に示した図である。
【図７】多孔質パイプから供給される水量と網状部材の表面を流下する水の速度との関係を求めるために行った実験の結果を示すグラフである。
【図８】多孔質パイプから供給される水量と網状部材の表面を流下する水の速度との関係を求めるために行った実験の結果を示すグラフである。
【図９】多孔質パイプから供給される水量と網状部材の表面を流下する水の速度との関係を求めるために行った実験の結果を示すグラフである。
【考案を実施するための形態】
【００２１】
本考案の空調装置は、水の蒸発に伴う気化熱を利用して建物内の冷房や加湿を行うものである。以下、その構造とそれに基づく作用・効果について、植物を栽培する園芸用ハウス等の農業施設に適用する場合を例にとり、図１乃至図９を参照しながら具体的に説明する。
【実施例】
【００２２】
本実施例の空調装置の構造について図１及び図２を用いて説明する。
図１は本実施例の空調装置の外観を示した斜視図であるが、給水管に設置されるバルブや給水ポンプについては図示を省略する。また、図２（ａ）は網状部材の網目を拡大した状態を模式的に示した図である。そして、図２（ｂ）は給水管から滲出する水の様子を模式的に示した図であり、図１の部分拡大図に相当する。なお、図２（ｂ）では網状部材３の網目の図示を省略する。
【００２３】
図１に示すように、本実施例の空調装置は、コンクリート製のブロック７，７が下端にそれぞれ取り付けられた支柱１，１と、この支柱１，１の上下にそれぞれ略水平に架け渡される支持部材２，２と、支持部材２，２の間に張設される網状部材３と、略水平をなすように網状部材３の上端近傍に設置され，先端部に栓体９が取り付けられた多孔質パイプ４と、多孔質パイプ４の基端部に接続される給水管５を備えている。そして、網状部材３が８〜１６ｍｍ２の大きさの網目を有することを特徴としている。
【００２４】
給水管５には、多孔質パイプ４へ井戸水を供給可能に給水ポンプ（図示せず）が設置されるとともに、バルブ（図示せず）が取り付けられている。すなわち、レバーハンドル６を操作してバルブ開閉率を変更することにより多孔質パイプ４に供給される水量が調節される構造となっている。
なお、網状部材３は上端及びその近傍に袋状部３ａ，３ｂがそれぞれ形成され、下端に袋状部３ｃが形成されている。そして、袋状部３ａ，３ｃには支持部材２，２がそれぞれ挿設され、袋状部３ｂには多孔質パイプ４が挿設されている。
【００２５】
図２（ａ）に示すように、網状部材３はポリエチレンやポリエステル等の合成繊維からなり、撚り合わされた横糸８ａの間に縦糸８ｂが通されるようにして網目が形成されている。
また、多孔質パイプ４は、発泡ポリエチレン等の発泡樹脂によって形成される中空の連続気泡体であり、その先端部は着脱自在に設置される栓体９によって閉塞されている。そのため、図２（ｂ）に示すように、多孔質パイプ４の内部に送り込まれた水の圧力は内周面に均等に作用する。その結果、当該水は、側面に形成された無数の微細孔から全長にわたって略均一に滲出した後、自重により網状部材３を伝って下方へと流れ落ちる。従って、網状部材３の上方から、その幅方向の全長にわたって水を略均一に供給しつつ、レバーハンドル６を操作して多孔質パイプ４の内部に加わる水圧を変更することで、その水量を容易に調節することができる。
【００２６】
なお、多孔質パイプ４の側面に形成された微細孔が目詰まりした場合には、栓体９を外した状態で多孔質パイプ４の内部に水を流しながら、側面を軽く叩くなどして振動を与えることで、目詰まりの原因となったゴミは微細孔から排除される。そして、このゴミは水に押し流されるようにして多孔質パイプ４の先端部から排出される。すなわち、本考案の空調装置においては、多孔質パイプ４が目詰まりした場合でも栓体９を取り外すことで、容易に解消することができる。
【００２７】
上記構造の空調装置においては、網状部材３の表面を流下する水が蒸発することにより周囲の空気は気化熱を奪われて温度が低下するという作用を有する。特に、網目の内部に流入した水は膜状になることで空気との接触面積が広くなる。さらに、膜状になった水は網目の内部に一時的に貯留されることになるため、空気との接触時間が長くなる。この場合、網状部材３を流下する水は蒸発し易い状態となる。従って、網状部材３の表面を流下する水によって気化熱を奪い、周囲の空気を冷却するという効果がより一層発揮される。
また、支柱１，支持部材２，網状部材３，多孔質パイプ４及び給水管５等の各部材はいずれも軽量であり、構造も簡単であることから、設置や撤去あるいは運搬が容易である。従って、設置箇所が限定されない。そして、設置や撤去に要する費用や製造コストを安くすることができる。
【００２８】
次に、網目の種類を変えて網状部材３の表面を流下する水の挙動を調べた結果について説明する。まず、図３を用いて実験の手順について説明する。
図３（ａ）は網状部材３と多孔質パイプ４を模式的に示した平面図であり、図３（ｂ）は網状部材３の一部を拡大して示した図である。なお、図３（ｂ）では、撚り合わされた縦糸８ｂの間に横糸８ａが通されるようにして網状部材３の網目が形成されているが、この図は図２（ａ）に示した網状部材３を９０度回転させたものに相当する。
【００２９】
図３（ａ）に示すように、まず、基準線１０ａ，１０ｂとして２本の白い糸を網状部材３の前面に近接させた状態で、上下方向へ５０ｃｍの間隔をあけて略水平にそれぞれ設置した。次に、多孔質パイプ４に一定量の水を供給し、矢印Ａで示すように網状部材３の表面を流下させ、その様子をビデオカメラで撮影した。
なお、多孔質パイプ４から網状部材３に供給される水量とは、幅１ｍの網状部材３の表面を１分間に流下する水量を意味しており、実際には網状部材３の下方に設置された容器に溜まった水を測定することにより求めた。
さらに、ビデオカメラで撮影した映像をコマ送りの状態で再生しながら、任意の５箇所において基準線１０ａから基準線１０ｂまで水が流下する時間を１／１００秒単位で読み取り、平均値を求めた。そして、この値に基づいて網状部材３の表面を流下する水の速度を算出した。
【００３０】
表１は、網目の大きさの異なる６種類のサンプルに対し、横糸８ａが撚り糸の場合（図２（ａ）参照）と縦糸８ｂが撚り糸の場合（図３（ｂ）参照）について、それぞれ網状部材３の表面を流下する水の挙動を調べた結果である。なお、多孔質パイプ４から網状部材３に供給される水量は３．０リットル／分であり、網状部材３にはポリエチレン製の防風網（大豊化学工業株式会社製）を使用した。
【００３１】
【表１】
0003197909.tif 000003
【００３２】
表１に示すように、網状部材３の網目の大きさ（開口面積）が４ｍｍ２以下（サンプル１，２）又は３６ｍｍ２以上（サンプル５，６）の場合、網状部材３の表面を水が流下する時間は１秒以下であった。そして、網状部材３の網目の大きさ（開口面積）が８ｍｍ２（サンプル３）及び１６ｍｍ２（サンプル４）の場合、網状部材３の表面を水が流下する時間は１．２７〜１．８６秒であった。
なお、表１の流下の状態における「○」の表示は、多孔質パイプ４から滲出した水が網状部材３の表面を伝って規則的に流下したことを表しており、「×」の表示は、多孔質パイプ４から滲出した水が網状部材３の表面を不規則に伝って流下するか、あるいは網状部材３の表面を伝うことなく地面に直接滴下したことを表している。
【００３３】
多孔質パイプ４から網状部材３に供給された水の挙動について、図４〜図６を用いて詳しく説明する。
図４〜図６はサンプル１，２とサンプル３，４とサンプル５，６の実験結果にそれぞれ対応する。なお、図４（ａ）、図５（ａ）及び図６（ａ）におけるハッチングは、網状部材３の網目に水膜が形成された箇所を示し、図４（ｂ）、図４（ｃ）、図５（ｂ）及び図６（ｂ）では網状部材３の横糸８ａのみを示し、縦糸８ｂについては図示を省略する。また、図１又は図２に示した構成要素については、同一の符号を付してその説明を省略する。
【００３４】
網状部材３の網目の大きさ（開口面積）が４ｍｍ２以下（サンプル１，２）の場合、多孔質パイプ４から滲出した水は網状部材３の網目の中に水膜１１を形成する。そして、水膜１１が形成された網目同士の間では水が移動し易いことに加え、網目の大きさ（開口面積）が４ｍｍ２以下の場合には、一旦形成された水膜１１が消滅し難い。従って、多孔質パイプ４から滲出した水は、図４（ａ）にハッチングで示すように、網状部材３の表面を下方へ移動するだけでなく、網状部材３の幅方向へも不規則に移動し、広範囲にわたって水膜１１を形成する。
【００３５】
表面を水が流下している網状部材３に対して一方の側から風を送ると、網目を通過した風は周囲を流下する水によって気化熱を奪われるとともに加湿された状態で他方の側へ移動する。これにより、網状部材３の近傍に限らず、広い範囲を効率良く冷却することができる。
しかし、図４（ａ）に示したように、網状部材３の網目の大部分に水膜１１が形成されていると、図４（ｂ）に矢印Ｂで示すように、網状部材３の一方の側から送られた風は、水膜１１に遮られてしまい、網目を通過することができない。従って、冷却効率が低下する。
また、多孔質パイプ４から網状部材３に対して新たに供給された水は、図４（ｃ）に矢印Ｃで示すように、水膜１１の表面を伝って、短時間で流下してしまう。この場合、網状部材３の表面を流下する水が蒸発し難いため、気化熱を奪って周囲の空気を冷却するという効果が十分に発揮されない。
【００３６】
網状部材３の網目の大きさ（開口面積）が８ｍｍ２（サンプル３）及び１６ｍｍ２（サンプル４）の場合、多孔質パイプ４から滲出した水は網状部材３の網目の中に水膜１１を形成するものの、この水膜１１は消滅し易い。従って、多孔質パイプ４から滲出した水は、図５（ａ）にハッチングで示すように、網状部材３の表面を横方向へはほとんど移動することなく、専ら縦方向へ移動し、規則的に複数の流れを形成する。そして、網状部材３に対して多孔質パイプ４から適量の水を供給すると、図５（ｂ）に矢印Ｄで示すように、水膜１１は形成と消滅を順次繰り返しながら下方へ移動する。
【００３７】
図５（ａ）に示したような状態であれば、図５（ｂ）に矢印Ｂで示すように、網状部材３の一方の側から送られた風は、水が流下していない箇所や水膜１１が消滅した箇所の網目を通過する。また、前述したように、多孔質パイプ４から網状部材３に供給された水は、水膜１１の形成と消滅を繰り返しながら下方へ移動するため、流下に要する時間が長くなる。この場合、空気との接触時間が長くなるため、水が蒸発し易い状態となる。その結果、網状部材３の表面を流下する水によって気化熱を奪い、周囲の空気を冷却するという効果がより一層発揮される。
【００３８】
網状部材３の網目の大きさ（開口面積）が３６ｍｍ２以上（サンプル５，６）の場合、多孔質パイプ４から滲出した水は、図６（ａ）に示すように、大部分が網状部材３の表面を伝うことなく短時間で地面に直接滴下する。この場合、網状部材３の網目には、ほとんど水膜１１が形成されないため、図６（ｂ）に矢印Ｂで示すように、網状部材３の一方の側から送られた風は、大部分が網目を通過する。しかしながら、多孔質パイプ４から網状部材３に供給された水は、矢印Ｅで示すように短時間で地面に滴下してしまい、空気との接触時間が十分に確保されないため、蒸発し難い。従って、網状部材３の周囲の空気を効率良く冷却することができない。
【００３９】
表２は、サンプル３及びサンプル４について、多孔質パイプ４から網状部材３に供給される水量を９．０リットル／分にして同様の実験を行い、網状部材３の表面を流下する水の速度を調べた結果である。なお、水量が３．０リットル／分の場合については表１の流下時間の値から算出した。
また、図７〜図９は表２をグラフ化したものである。横軸は多孔質パイプ４から網状部材３に供給される水量（リットル／分）を表し、縦軸は網状部材３の表面を流下する水の速度（ｃｍ／秒）を表している。
【００４０】
【表２】
0003197909.tif 000004
【００４１】
図７及び図８に示すように、網状部材３の表面を流下する水の速度は、サンプル３の方がサンプル４よりも速い。これは、網目が小さいと、網目の内部に水膜１１として一時的に貯留される量が少なく、１つの網目から次の網目までの水の移動に要する時間が短くなることが原因と考えられる。従って、サンプル１やサンプル２のようにサンプル３よりも網目が小さい場合には、網状部材３の表面を流下する水の速度はさらに速くなる（表１参照）。
一方、サンプル５やサンプル６のように網目が大き過ぎる場合、網状部材３の表面を流下する水は網目の内部に水膜１１として一時的に貯留されることなく、地面に直接滴下するため、網状部材３の表面を水が流下する水の速度はサンプル４の場合に比べて速くなる（表１参照）。
以上のことから、網目の大きさ（開口面積）はサンプル３の場合（８ｍｍ２）以上であって、かつ、サンプル４の場合（１６ｍｍ２）以下にすると良いことがわかる。この場合、網状部材３の表面に水が存在する時間が長くなり、水の蒸発が促進されるため、気化熱を奪って周囲の空気を冷却するという効果が十分に発揮される。
【００４２】
また、図７及び図８は、網状部材３の網目において横の長さが同じで縦の長さが異なる場合（図８のサンプル３とサンプル４）よりも縦の長さが同じで横の長さが異なる場合（図７のサンプル３とサンプル４）の方が網状部材３の表面を流下する水の速度に与える影響が大きいことを示している。すなわち、図７及び図８から、横糸８ａは網状部材３の表面を流下する水に対する抵抗となるため、網目の大きさが同じ場合でも網目の横の長さが長い方が水の流下速度が遅くなることがわかる。
【００４３】
さらに、図７及び図８から、多孔質パイプ４から網状部材３に供給される水量が多いと、網状部材３の表面を流下する水の速度が速くなることがわかる。これは、網目に流れ込む水量が多くなると、水膜１１の形成と消滅を順次繰り返しながら下方へ移動するという図５（ｂ）に示した状態を維持できなくなり、水膜１１の表面を伝って短時間で流下するという図４（ｃ）に示した状態に近づくためと考えられる。
【００４４】
また、図９は、多孔質パイプ４から網状部材３に供給される水量を多くした場合でも、横糸８ａを撚り糸にすれば、縦糸８ｂを撚り糸にする場合に比べて、網状部材３の表面における水の流下速度の増分が少ないことを示している。これは、横糸８ａにした撚り糸が網状部材３の表面を流下する水に対する抵抗として作用するためと考えられる。
すなわち、横糸８ａを撚り糸にした場合、網状部材３の表面に水が存在する時間が長くなるという作用が発揮される。これにより、水の蒸発が促進されるため、水の気化熱を利用して周囲の空気を効率良く冷却することができる。
【００４５】
本考案の空調装置の構造は、上記実施例に示すものに限定されるものではない。本実施例では、給水管５とともに、網状部材３に対して幅方向にわたって上方から水を供給する給水手段を構成する多孔質パイプ４が、発泡ポリエチレン等で形成される中空の連続気泡体によって形成されているが、これに限らず、例えば、側面に対して長さ方向へ複数の微細孔が設けられた塩化ビニル等の合成樹脂からなるパイプを用いることもできる。ただし、本実施例のように、多孔質パイプ４を発泡ポリエチレン等で形成される中空の連続気泡体とした方が、側面全体から水が略均等に滲出するため、望ましい。
【００４６】
また、支柱１と支持部材２は、網状部材３の上下を保持して平板状に支持する支持手段を構成しているが、この支柱１と支持部材２の代わりに、矩形状の開口部を有する枠部材を網状部材３の支持手段として用いても良い。なお、本実施例では、支持部材２として円柱部材や円筒部材を想定しているが、これに限らず、例えば、支柱１，１の間に張ったワイヤーや丈夫な紐等を支持部材２として用いることもできる。加えて、網状部材３が平板状をなすように、これらの紐等によって上端と下端をそれぞれ逆方向へ引っ張るようにして網状部材３を設置しても良い。
【００４７】
さらに、本実施例では、給水ポンプにより給水管５を介して多孔質パイプ４へ井戸水を供給する構造となっているが、給水ポンプを設置する代わりに、給水管５を水道管に接続して、多孔質パイプ４へ水道水を供給する構造としても良い。
また、網状部材３の一方の側に送風機を設置して、網状部材３に対して強制的に風を送ることで冷却効率を高める構造とすることもできる。
【産業上の利用可能性】
【００４８】
請求項１乃至請求項４に記載された考案は、屋内に限らず、屋外においても同様に適用可能である。
【符号の説明】
【００４９】
１…支柱  ２…支持部材  ３…網状部材  ３ａ〜３ｃ…袋状部  ４…多孔質パイプ  ５…給水管  ６…レバーハンドル  ７…ブロック  ８ａ…横糸  ８ｂ…  ９…栓体  １０ａ，１０ｂ…基準線  １１…水膜    
【図１】
0003197909.tif 000005
【図２】
0003197909.tif 000006
【図３】
0003197909.tif 000007
【図４】
0003197909.tif 000008
【図５】
0003197909.tif 000009
【図６】
0003197909.tif 000010
【図７】
0003197909.tif 000011
【図８】
0003197909.tif 000012
【図９】
0003197909.tif 000013